(57)【要約】【課題】黒信号の映像信号が表示されている状態で、さらにＯＳＤが画面に表示された場合に、ＯＳＤの視認性を保ちつつ、黒浮きを防止し、消費電力を削減する。【解決手段】黒信号判定部１４が、映像信号が黒信号であるか否かを判定し、映像処理部１７が、液晶パネル１９におけるＯＳＤの表示指示を受け付け、光源輝度制御部１５が、映像信号が黒信号であると判定され、かつ、オンスクリーンディスプレイの表示指示が受け付けられた場合に、光源の輝度を、映像信号が黒信号であると判定され、かつ、ＯＳＤの表示指示が受け付けられていない場合における光源の輝度よりも大きい輝度であって、映像信号が黒信号以外の信号である場合における光源の輝度よりも小さい輝度に設定する。【選択図】図１
2013125157.tif 000002
【特許請求の範囲】
【請求項１】
映像信号を表示する表示部と、電力の供給を受けて前記表示部を照明する光源とを備え、前記映像信号が黒信号である場合に、前記光源の輝度を、前記映像信号が黒信号でない場合の輝度と比べて小さくする映像表示装置であって、
前記映像信号が黒信号であるか否かを判定する黒信号判定部と、
前記表示部におけるオンスクリーンディスプレイの表示指示を受け付ける映像処理部と、
前記映像信号が黒信号であると判定され、かつ、前記オンスクリーンディスプレイの表示指示が受け付けられた場合に、前記光源の輝度を、前記映像信号が黒信号であると判定され、かつ、前記オンスクリーンディスプレイの表示指示が受け付けられていない場合における前記光源の輝度よりも大きい輝度であって、前記映像信号が黒信号以外の信号である場合における前記光源の輝度よりも小さい輝度に設定する光源輝度制御部と、
を備えることを特徴とする映像表示装置。
【請求項２】
前記映像表示装置の周囲照度を測定する照度センサをさらに備え、前記光源輝度制御部は、前記映像信号が黒信号であると判定され、かつ、前記オンスクリーンディスプレイの表示指示が受け付けられた場合、前記照度センサにより測定された周囲照度に基づいて、前記光源の輝度を設定することを特徴とする請求項１に記載の映像表示装置。
【発明の詳細な説明】
【技術分野】
【０００１】
本発明は、映像表示装置に関し、より詳しくは、映像信号を表示する表示部と、電力の供給を受けて表示部を照明する光源とを備え、映像信号が黒信号である場合に、光源の輝度を、映像信号が黒信号でない場合の輝度と比べて小さくする映像表示装置に関する。
【背景技術】
【０００２】
従来、ＬＥＤ（Light Emitting Diode）バックライトを搭載している映像表示装置では、映像信号が黒信号であった場合に、通常信号時に行われる調光処理に比べて、ＬＥＤに流す電流値を小さくし、または、バックライトの点灯率を下げ（消灯を含む）、または、それらの両方を行うことにより、コントラストの向上と消費電力の低減を図っている。
【０００３】
図７、図８は、従来技術における調光処理について説明する図である。この調光処理では、図８（Ａ）に示すように、映像信号が黒信号ではなく、通常信号である場合、図７に示すように、ユーザにより設定された調光レベル（−１６〜＋１６）に応じて、バックライトを構成するＬＥＤに流す電流値と電流のデューティー比が設定される。
【０００４】
また、図８（Ｂ）に示すように、映像信号が黒信号であった場合、図７に示すように、電流値は、映像信号が黒信号以外の信号であり、かつ、ユーザ調光が行われる場合の電流値（３６ｍＡ〜１００ｍＡ）に比べて、小さい値（１０ｍＡ）に設定される。また、電流のデューティー比についても、ユーザ調光が行われる場合のデューティー比（１００％）に比べて、小さい値（０．１％）に設定される。
【０００５】
また、特許文献１には、映像信号のＡＰＬ（Average Picture Level）が所定の値よりも小さい場合に、ＡＰＬが小さくなるほど光源のバックライト光源の発光輝度を小さくする液晶表示装置が開示されている。
【先行技術文献】
【特許文献】
【０００６】
【特許文献１】特許第３９８３２７６号公報
【発明の概要】
【発明が解決しようとする課題】
【０００７】
しかし、上述した従来技術では、図８（Ｃ）に示すように、黒信号の映像信号が表示されている状態で、さらに入力設定表示や音量レベルなどのオンスクリーンディスプレイ（以下、「ＯＳＤ」と呼ぶ。）が画面に表示された場合、黒信号の映像信号に対する調光処理と同じ調光処理を行うこととすると、ＯＳＤの表示が暗くなり、見にくくなってしまう。一方、黒信号以外の映像信号に対する調光処理と同じ調光処理を行うこととすると、黒浮きが発生し、消費電力が大きくなってしまう。
【０００８】
本発明は、上記実情に鑑み、黒信号の映像信号が表示されている状態で、さらにＯＳＤが画面に表示された場合に、ＯＳＤの視認性を保ちつつ、黒浮きの防止と消費電力の削減を可能とする映像表示装置を提供することを目的とする。
【課題を解決するための手段】
【０００９】
上記課題を解決する為に、本発明の第１の技術手段は、映像信号を表示する表示部と、電力の供給を受けて前記表示部を照明する光源とを備え、前記映像信号が黒信号である場合に、前記光源の輝度を、前記映像信号が黒信号でない場合の輝度と比べて小さくする映像表示装置であって、前記映像信号が黒信号であるか否かを判定する黒信号判定部と、前記表示部におけるオンスクリーンディスプレイの表示指示を受け付ける映像処理部と、前記映像信号が黒信号であると判定され、かつ、前記オンスクリーンディスプレイの表示指示が受け付けられた場合に、前記光源の輝度を、前記映像信号が黒信号であると判定され、かつ、前記オンスクリーンディスプレイの表示指示が受け付けられていない場合における前記光源の輝度よりも大きい輝度であって、前記映像信号が黒信号以外の信号である場合における前記光源の輝度よりも小さい輝度に設定する光源輝度制御部と、を備えることを特徴とする。
【００１０】
本発明の第２の技術手段は、第１の技術手段において、前記映像表示装置の周囲照度を測定する照度センサをさらに備え、前記光源輝度制御部は、前記映像信号が黒信号であると判定され、かつ、前記オンスクリーンディスプレイの表示指示が受け付けられた場合、前記照度センサにより測定された周囲照度に基づいて、前記光源の輝度を設定することを特徴とする。
【発明の効果】
【００１１】
本発明によれば、映像信号が黒信号であるか否かを判定し、表示部におけるオンスクリーンディスプレイの表示指示を受け付け、映像信号が黒信号であると判定され、かつ、オンスクリーンディスプレイの表示指示が受け付けられた場合に、光源の輝度を、映像信号が黒信号であると判定され、かつ、オンスクリーンディスプレイの表示指示が受け付けられていない場合における光源の輝度よりも大きい輝度であって、映像信号が黒信号以外の信号である場合における光源の輝度よりも小さい輝度に設定することとしたので、黒信号の映像信号が表示されている状態で、さらにＯＳＤが画面に表示された場合に、ＯＳＤの視認性を保ちつつ、黒浮きを防止し、消費電力を削減することができる。
【図面の簡単な説明】
【００１２】
【図１】本発明の第１の実施形態に係る液晶表示装置の構成を示すブロック図である。
【図２】第１の実施形態に係る調光テーブルの一例について説明する図である。
【図３】映像の表示状態に応じて行われる電流制御の一例について説明する図である。
【図４】本発明の第２の実施形態に係る液晶表示装置の構成を示すブロック図である。
【図５】第２の実施形態に係る調光テーブルの一例を示す図である。
【図６】バックライトユニットの輝度と周囲照度との関係を示す図である。
【図７】従来技術における調光処理について説明する図である。
【図８】従来技術における調光処理について説明する図である。
【発明を実施するための形態】
【００１３】
以下、本発明の実施形態について図面を参照して詳細に説明する。
【００１４】
（第１の実施形態）
図１は、本発明の第１の実施形態に係る液晶表示装置１の構成を示すブロック図である。液晶表示装置１のチューナ１２は、アンテナ１１により受信した放送信号を選局する。デコーダ１３は、チューナ１２で選局された放送信号をデコード処理して多重分離し、液晶パネル１９を駆動するための映像信号を出力する。
【００１５】
デコーダ１３で分離された映像信号は、映像処理部１７でオンスクリーンディスプレイ（以下、ＯＳＤと呼ぶ）を映像信号に合成するなどの各種の映像処理が行われた後、液晶パネル１９を駆動制御するＬＣＤコントローラ１８に入力される。映像処理部１７は、ＯＳＤの表示指示を受け付けた場合、その表示指示を受け付けたことを光源輝度制御部１５に通知する。
【００１６】
ＬＣＤコントローラ１８では、入力された映像信号に基づいて液晶パネル１９の図示しないゲートドライバ及びソースドライバに対して液晶駆動信号を出力し、これにより映像信号に従う映像が液晶パネル１９に表示される。
【００１７】
また、デコーダ１３で分離された映像信号は、黒信号判定部１４にも出力される。黒信号判定部１４では、デコーダ１３から出力された映像信号が黒信号であるか否かを判定する。その判定結果は、光源輝度制御部１５に通知される。
【００１８】
また、バックライトユニット１６は、液晶パネル１９の背面に取り付けられる筐体内に、例えば、複数色のＬＥＤ（Light Emitting Diode）光源を配設して構成される。ＬＥＤ光源の発光輝度は、個々のＬＥＤ光源に対して流す電流を調整することにより制御することができる。このバックライトユニット１６は、光源輝度制御部１５からＬＥＤ光源に流す電流の電流値およびデューティー比を示す制御信号を取得し、その制御信号に従ってＬＥＤ光源に電流を供給する。
【００１９】
調光テーブル２２は、映像の表示状態と、ＬＥＤ光源に流す電流の設定情報とを対応付けて記憶したテーブルである。図２は、第１の実施形態に係る調光テーブル２２の一例について説明する図であり、図３は、映像の表示状態に応じて行われる電流制御の一例について説明する図である。
【００２０】
この調光テーブル２２には、デフォルトの、または、ユーザにより設定される調光レベル（−１６〜＋１６）に対応付けて、ＬＥＤ光源に流す電流値（３６ｍＡ〜１００ｍＡ）と電流のデューティー比（１００％）が設定されている。ここで設定された値は、映像信号が黒信号以外の信号である場合に用いられる。図３の「通常映像」には、ユーザ調光が「−１６」に設定され、電流値が３６ｍＡである場合の例が示されている。
【００２１】
また、調光テーブル２２には、映像信号が黒信号であり、かつ、ＯＳＤの表示がなされない場合の電流値（１０ｍＡ）と、電流のデューティー比（０．１％）が設定されている。この電流値およびデューティー比は、映像信号が黒信号以外の信号である場合（すなわち、調光テーブル２２において、−１６〜＋１６の調光レベルに対応する電流値およびデューティー比が適用される場合）のＬＥＤ光源の輝度に比べて、ＬＥＤ光源の輝度が小さくなる値に設定される。図３の「黒検出」には、この場合の電流値の時間変化が示されている。
【００２２】
さらに、調光テーブル２２には、映像信号が黒信号であって、かつ、ＯＳＤの表示がなされる場合の電流値（２４ｍＡ）と、電流のデューティー比（５０％）が設定されている。この電流値およびデューティー比は、映像信号が黒信号以外の信号である場合のＬＥＤ光源の輝度に比べて、ＬＥＤ光源の輝度が小さくなる値に設定され、かつ、映像信号が黒信号であり、かつ、ＯＳＤの表示がなされない場合のＬＥＤ光源の輝度に比べて、ＬＥＤ光源の輝度が大きくなる値に設定される。
【００２３】
以上のように電流値およびデューティー比を設定することにより、ＯＳＤの視認性を保ちつつ、黒浮きを防止し、消費電力を削減することができる。図３の「黒検出＋ＯＳＤ」には、この場合の電流値の時間変化が示されている。
【００２４】
なお、調光テーブル２２は、予めＲＯＭ等のテーブル格納メモリ２１に記憶され、この調光テーブル２２によりバックライトユニット１６の発光輝度が制御される。
【００２５】
光源輝度制御部１５は、調光テーブル２２に基づき、ＬＥＤ光源の発光輝度を制御する。例えば、光源輝度制御部１５は、映像信号が黒信号以外の信号である場合に、デフォルトの、または、ユーザにより設定された調光レベルに対応する電流値および電流のデューティー比を調光テーブル２２から読み出し、その電流値およびデューティー比を示す制御信号をバックライトユニット１７に出力する。
【００２６】
また、光源輝度制御部１５は、映像信号が黒信号であり、かつ、ＯＳＤの表示がなされない場合に、映像信号が黒信号であり、かつ、ＯＳＤの表示がなされない場合の電流値および電流のデューティー比を調光テーブル２２から読み出し、その電流値およびデューティー比を示す制御信号をバックライトユニット１７に出力する。
【００２７】
さらに、光源輝度制御部１５は、映像信号が黒信号であり、かつ、ＯＳＤの表示がなされる場合に、映像信号が黒信号であり、かつ、ＯＳＤの表示がなされる場合の電流値および電流のデューティー比を調光テーブル２２から読み出し、その電流値およびデューティー比を示す制御信号をバックライトユニット１７に出力する。
【００２８】
また液晶表示装置１は、リモコン装置２４から送信されるリモコン制御信号を受光するためのリモコン受光部２３を備えている。リモコン受光部２３は、例えば、赤外線によるリモコン操作信号を受信するための受光ＬＥＤにより構成されている。リモコン受光部２３によって受信したリモコン操作信号は入力制御部２０に入力され、入力制御部２０は、入力されたリモコン操作信号に応じて所定の制御を行う。
【００２９】
例えば、リモコン装置２４は、表示画面の調光レベルを設定する入力をユーザから受け付ける。この場合、入力制御部２０は、光源輝度制御部１５に対してユーザにより設定された調光レベルの情報を出力する。
【００３０】
また、リモコン装置２４は、ＯＳＤの表示を指示する入力をユーザから受け付ける。この場合、入力制御部２０は、映像処理部１７に対してユーザによりなされたＯＳＤの表示指示情報を出力する。
【００３１】
以上のように、黒信号判定部１４が、映像信号が黒信号であるか否かを判定し、映像処理部１７が、液晶パネル１９におけるＯＳＤの表示指示を受け付け、映像信号が黒信号であると判定され、かつ、オンスクリーンディスプレイの表示指示が受け付けられた場合、光源輝度制御部１５が、光源の輝度を、映像信号が黒信号であると判定され、かつ、オンスクリーンディスプレイの表示指示が受け付けられていない場合における光源の輝度、および、映像信号が黒信号以外の信号である場合における光源の輝度とは異なる輝度に設定することとしたので、黒信号の映像信号が表示されている状態で、さらにＯＳＤが画面に表示された場合に、ＯＳＤの視認性を保ちつつ、黒浮きを防止し、消費電力を削減することができる。
【００３２】
（第２の実施形態）
上記第１の実施形態では、映像信号が黒信号であって、かつ、ＯＳＤの表示指示がなされる場合に、特定の値に電流値と電流のデューティー比を設定することとしたが、映像表示装置１の周囲照度に応じて、ＬＥＤ光源に供給する電流の電流値と電流のデューティー比を変化させることとしてもよい。
【００３３】
図４は、本発明の第２の実施形態に係る液晶表示装置１の構成を示すブロック図である。図１に示した液晶表示装置１とは、照度センサ２５の有無、および、調光テーブル２２の構成が異なる。以下では、図４に示した液晶表示装置１が図１に示した液晶表示装置１と異なる点について主に説明することとする。
【００３４】
図４に示す液晶表示装置１の照度センサ２５は、液晶表示装置１の周囲照度を測定する。照度センサ２５としては、例えばフォトダイオードが適用できる。そして、照度センサ２５は、測定した照度の情報を入力制御部２０に出力する。
【００３５】
入力制御部２０は、映像処理部１７に対してユーザによりなされたＯＳＤの表示指示情報を出力する。さらに、入力制御部２０は、照度センサ２５が測定した周囲照度の情報を取得し、その情報を光源輝度制御部１５に出力する。
【００３６】
図５は、第２の実施形態に係る調光テーブル２２の一例を示す図であり、図６は、ＬＥＤ光源の輝度と周囲照度との関係を示す図である。図５に示す調光テーブル２２には、周囲照度の情報（０ｌｘ〜２０ｌｘ，・・・，１５０ｌｘ〜１７０ｌｘ，・・・，３００ｌｘ〜）に対応付けて、映像信号が黒信号以外の信号である場合に、ＬＥＤ光源に流す電流の電流値（３６ｍＡ〜１００ｍＡ）と電流のデューティー比（１００％）が設定されている。
【００３７】
また、調光テーブル２２には、映像信号が黒信号である場合の電流値（３０ｍＡ）と、電流のデューティー比（０．１％）が設定されている。この電流値およびデューティー比は、映像信号が黒信号以外の信号であり、かつ、ユーザ調光が行われる場合のＬＥＤ光源の輝度に比べて、ＬＥＤ光源の輝度が小さくなる値に設定される。
【００３８】
さらに、調光テーブル２２には、周囲の照度の情報（０ｌｘ〜２０ｌｘ，・・・，１５０ｌｘ〜１７０ｌｘ，・・・，３００ｌｘ〜）に対応付けて、映像信号が黒信号であって、かつ、ＯＳＤの表示がなされる場合に、ＬＥＤ光源に流す電流値（１０ｍＡ〜２４ｍＡ）と電流のデューティー比（４０％）が設定されている。
【００３９】
この電流値およびデューティー比は、映像信号が黒信号以外の信号である場合のＬＥＤ光源の輝度（図６の「通常映像」の輝度を参照）に比べて、ＬＥＤ光源の輝度が小さくなる値（図６の「黒検出＋ＯＳＤ」の輝度を参照）に設定され、また、映像信号が黒信号であり、かつ、ＯＳＤの表示がなされない場合のＬＥＤ光源の輝度に比べて、ＬＥＤ光源の輝度が大きくなる値に設定される。
【００４０】
以上のように電流値およびデューティー比を設定することにより、ＯＳＤの視認性を保ちつつ、黒浮きを防止し、消費電力を削減することができる。さらに、周囲照度に応じて、電流値およびデューティー比を設定することにより、画面の最適な輝度を設定することができる。
【００４１】
なお、本発明は上述した実施形態に限定されず、本発明の要旨を逸脱しない範囲内で各種の変形、修正が可能である。
【符号の説明】
【００４２】
１…映像表示装置、１１…アンテナ、１２…チューナ、１３…デコーダ、１４…黒信号判定部、１５…光源輝度制御部、１６…バックライトユニット、１７…映像処理部、１８…ＬＣＤコントローラ、１９…液晶パネル、２０…入力制御部、２１…テーブル格納メモリ、２２…調光テーブル、２３…リモコン受光部、２４…リモコン装置、２５…照度センサ。
【図１】
2013125157.tif 000003
【図２】
2013125157.tif 000004
【図３】
2013125157.tif 000005
【図４】
2013125157.tif 000006
【図５】
2013125157.tif 000007
【図６】
2013125157.tif 000008
【図７】
2013125157.tif 000009
【図８】
2013125157.tif 000010